【手続補正書】
【提出日】平成27年1月26日(2015.1.26)
【手続補正１】
【補正対象書類名】特許請求の範囲
【補正対象項目名】全文
【補正方法】変更
【補正の内容】
【特許請求の範囲】
【請求項１】
筐体と、
前記筐体内に少なくとも部分的に配置される医薬容器と、
第１の可動部材および第２の可動部材を含む可動アセンブリと、を含む装置であって、
前記第２の可動部材は、前記第１の可動部材に対して移動して、前記可動アセンブリを第１の配置から第２の配置まで変化させるように構成されており、前記第２の可動部材の遠位端部分は、前記可動アセンブリが前記第１の配置から前記第２の配置に変化するときに、前記医薬容器内で遠位方向にプランジャーを移動させるように構成されており、
前記可動アセンブリは、前記可動アセンブリが前記筐体内の第１の位置から前記筐体内の第２の位置へ移動するときに、前記筐体内で前記医薬容器を第１の医薬容器位置から第２の医薬容器位置まで移動させるように構成される、装置。
【請求項２】
前記プランジャーは、前記医薬容器の近位端部分内に配置される第１のプランジャーであり、前記医薬容器は、前記第１のプランジャーから間隔を置いて離されてその中に配置される第２のプランジャーを含み、前記第１のプランジャー、前記医薬容器の一部および前記第２のプランジャーがともに、第１の物質を含む第１の医薬含有部分を少なくとも部分的に画定し、前記第２のプランジャーおよび前記医薬容器の遠位端部分がともに、第２の物質を含む第２の医薬含有部分を少なくとも部分的に画定する、請求項１に記載の装置。
【請求項３】
前記可動アセンブリの長さは、前記第２の可動部材が前記第１の可動部材に対して移動するときに増加する、請求項１に記載の装置。
【請求項４】
前記第１の可動部材は、前記医薬容器が前記第２の医薬容器位置にあるときに、前記医薬容器内で移動して前記医薬容器から医薬を排出するように構成されたピストン部を含み、
前記第２の可動部材の一部は、前記第１の可動部材の前記ピストン部内で摺動可能に配置されるように構成される、請求項１に記載の装置。
【請求項５】
前記第２の可動部材は、第１の保持部分および第２の保持部分を含み、前記第１の保持部分は、前記可動アセンブリが前記第１の配置にあるときに前記第１の可動部材に対する前記第２の可動部材の移動を制限するように構成されており、前記第２の保持部分は、前記可動アセンブリが前記第２の配置にあるときに前記第１の可動部材に対する前記第２の可動部材の移動を制限するように構成される、請求項１に記載の装置。
【請求項６】
前記第１の可動部材は、前記筐体の一部に係合して前記筐体内の前記第１の位置に前記可動アセンブリを維持するように構成された保持部分を含む、請求項１に記載の装置。
【請求項７】
前記可動アセンブリは、前記第２の可動部材を前記第１の可動部材に対して移動させるための力を生成するように構成されたエネルギー貯蔵部材を含む、請求項１に記載の装置。
【請求項８】
前記可動アセンブリは、前記第２の可動部材を前記第１の可動部材に対して移動させるための第１の力を生成するように構成された第１のエネルギー貯蔵部材を含み、
前記第１の可動部材は、前記第１の位置から前記第２の位置まで前記可動アセンブリを移動させるための第２の力を生成するように構成された第２のエネルギー貯蔵部材に作動可能に接続されるように構成される、請求項１に記載の装置。
【請求項９】
筐体と、
前記筐体内に少なくとも部分的に配置される医薬容器であって、前記医薬容器アセンブリは、第１のエラストマ―部材および第２のエラストマ―部材を含み、前記第１のエラストマ―部材は少なくとも部分的に第１の容積を画定し、前記第２のエラストマ―部材は少なくとも部分的に第２の容積を画定する、医薬容器と、
可動アセンブリであって、前記可動アセンブリが第１の配置から第２の配置へ移動するときに、前記医薬容器内で遠位方向に少なくとも前記第２のエラストマ―部材を第１の距離移動させて、前記第１の容積内の第１の物質を前記第２の容積内の第２の物質と混合するように構成され、前記可動アセンブリが前記第１の配置から前記第２の配置へ移動するときに前記可動アセンブリの長さが増加する、可動アセンブリと、を含む装置であって、
前記可動アセンブリは、前記可動アセンブリが前記第２の配置に移動した後に、前記筐体内で前記可動アセンブリの少なくとも一部が移動するときに、前記医薬容器内で少なくとも前記第１のエラストマ―部材を第２の距離だけ動かして、前記第１の容積および前記第２の容積の内容物の少なくとも一部を排出するように構成される、装置。
【請求項１０】
前記医薬容器は、前記可動アセンブリが前記第１の配置から前記第２の配置へ移動するときに、前記第１の容積を前記第２の容積と流体連通させるように構成された少なくとも１つの溝を画定する、請求項９に記載の装置。
【請求項１１】
前記可動アセンブリは、前記可動アセンブリが前記筐体内の第１の位置から筐体内の第２の位置へ移動するときに、第１の医薬容器位置から第２の医薬容器位置まで前記医薬容器を移動させるように構成され、
前記可動アセンブリは、前記可動アセンブリが前記筐体内の前記第２の位置から前記筐体内の第３の位置へ移動するときに、少なくとも前記第１のエラストマ―部材を第２の距離移動させるように構成される、請求項９に記載の装置。
【請求項１２】
前記可動アセンブリは、第１の可動部材および第２の可動部材を含み、第１の可動部材のピストン部は、前記医薬容器内で移動して、少なくとも前記第１のエラストマ―部材を第２の距離移動させるように構成され、前記第２の可動部材の一部は、前記第１の可動部材の前記ピストン部内に摺動可能に配置されるように構成され、前記第２の可動部材の前記一部は、前記第１の可動部材内で移動して、可動アセンブリを前記第１の配置から前記第２の配置まで変化させるように構成される、請求項９に記載の装置。
【請求項１３】
筐体と、
前記筐体内に少なくとも部分的に配置された医薬容器であって、前記医薬容器は、第１のエラストマ―部材および第２のエラストマ―部材を含み、前記第１のエラストマ―部材は少なくとも部分的に第１の容積を画定し、前記第２のエラストマ―部材は少なくとも部分的に第２の容積を画定する、医薬容器と、
可動部材であって、前記可動部材の第１の部分が前記筐体内で前記医薬容器を移動させるように構成され、前記可動部材の第２の部分が前記医薬容器内で少なくとも前記第１のエラストマ―部材を移動させるように構成される、可動部材と、
第１の末端部分および第２の末端部分を有する解放部材であって、前記第２の末端部分は、第１の位置と第２の位置との間を移動するように構成され、前記解放部材の第２の末端部分は、前記第２の末端部分が前記第１の位置にあるときに前記可動部材の移動を制限するように前記可動部材の一部に係合するように構成される、解放部材と、を含む装置であって、
前記解放部材は、前記筐体に旋回可能に接続されたピボット部を含み、前記解放部材の前記第１の末端部分は、近位方向に第１の距離前記ピボット部から離れて間隔を置かれ、前記解放部材の前記第２の末端部分は、第２の距離前記ピボット部から離れて間隔を置かれ、前記第２の距離は前記第１の距離とは異なる、装置。
【請求項１４】
前記解放部材は、前記第１の末端部分から前記第２の末端部分まで、前記第１の末端部分に適用された力を伝達して増幅するように構成される、請求項１３に記載の装置。
【請求項１５】
前記ピボット部は、前記第２の末端部分が移動するときに、変形するように構成される、
請求項１３に記載の装置。
【請求項１６】
開口部を含む筐体と、
前記筐体内に少なくとも部分的に配置された医薬容器であって、前記医薬容器は、第１のエラストマ―部材および第２のエラストマ―部材を含み、前記第１のエラストマ―部材は少なくとも部分的に第１の容積を画定し、前記第２のエラストマ―部材は少なくとも部分的に第２の容積を画定する、医薬容器と、
前記医薬容器内で少なくとも前記第１のエラストマ―部材を移動させるように構成された可動部材と、
前記開口部を介して前記筐体に旋回可能に接続されたピボット部、第１の末端部分、および第２の末端部分を有する解放部材であって、前記第２の末端部分は、第１の位置と第２の位置との間を移動するように構成され、前記解放部材の第２の末端部分は、前記第２の末端部分が前記第１の位置にあるときに前記可動部材の移動を制限するように構成され、前記解放部材は、前記第１の末端部分が第１の方向に移動するときに、前記第２の末端部分が前記第１の位置から前記第２の位置へ第２の方向に移動するように構成され、前記第２の方向は前記第１の方向とは異なる、解放部材と、を含む装置。
【請求項１７】
前記第２の末端部分が前記第１の位置にあるときに、前記第２の末端部分は、前記可動部材の一部と係合し、前記第２の末端部分が前記第２の位置にあるときに、前記第２の末端部分は、前記可動部材から離れて間隔が置かれる、請求項１６に記載の装置。
【請求項１８】
前記第１の容積は第１の物質を含み、前記第２の容積は第２の物質を含み、
前記可動部材は、第１のエラストマ―部材を移動させて前記第１の物質および前記第２の物質を混合するように構成された混合ピストンである、請求項１６に記載の装置。
【請求項１９】
前記医薬容器から前記第１の物質および前記第２の物質を運搬するための力を生成するように構成されたエネルギー貯蔵部材と、
作動部材が移動するときに前記エネルギー貯蔵部材を作動させるように構成された作動部材と、
前記筐体に移動可能に接続された安全装置と、をさらに含み、
前記安全装置は、前記作動部材の一部に係合して前記作動部材の移動を制限するように構成され、
前記解放部材の前記第１の末端部分は、前記安全装置が前記筐体に対して移動するときに前記第１の末端部分が前記第１の方向に移動するように前記安全装置に接続される、請求項１６に記載の装置。